(57)【要約】【課題】荷物が投入されたことを明確に示す証拠を含む電子化された受取証明をユーザの携帯端末で受信することができる宅配ボックスを提供する。【解決手段】宅配ボックス１０は、荷物の出し入れ口となる開口を有する箱体と、箱体の開口を開閉する扉と、扉の施錠及び開錠を行う電気錠２２と、電気錠２２の施錠及び開錠を制御する制御部２０と、予め登録されているユーザの携帯端末との間で双方向に通信して情報を送受信する無線通信部２４と、ボックス内部の画像を撮影する撮像部２６と、ユーザを特定する情報及び撮像部２６で撮影された画像を記憶する記憶部２１とを備える。制御部２０は、撮像部２６で開錠前画像及び施錠後画像を撮影し、配送人の携帯端末に開錠前画像および施錠後画像を含む電子化された受取証明を送信するよう無線通信部２４に指令する。【選択図】図２
2019208589.tif 000002
【特許請求の範囲】
【請求項１】
配送物である荷物の受け渡しを行う宅配ボックスであって、
荷物の出し入れ口となる開口を有する箱体と、
前記箱体の開口を開閉する扉と、
前記扉の施錠及び開錠を行う電気錠と、
前記電気錠の施錠及び開錠を制御する制御部と、
予め登録されているユーザの携帯端末との間で双方向に通信して情報を送受信する無線通信部と、
ボックス内部の画像を撮影する撮像部と、
ユーザを特定する情報及び前記撮像部で撮影された画像を記憶する記憶部と、を備え、
前記制御部は、前記携帯端末から送信されたユーザ特定情報を元に前記ユーザが配送人であると判別された際、前記配送人によって開錠操作が行われたときに前記撮像部で開錠前画像を撮影するとともに、前記配送人によって施錠操作が行われたときに前記撮像部で施錠後画像を撮影し、前記配送人の携帯端末に前記開錠前画像および前記施錠後画像を含む電子化された受取証明を送信するように前記無線通信部に指令する、
宅配ボックス。
【請求項２】
前記制御部は、前記配送人によって荷物が投入されて施錠された後に別の配送人によって開錠操作が行われたときに前記撮像部で第２開錠前画像を撮影するとともに、前記別の配送人によって施錠操作が行われたときに前記撮像部で第２施錠後画像を撮影し、前記別の配送人の携帯端末に前記第２開錠前画像および前記第２施錠後画像を含む受取証明を送信するように前記無線通信部に指令する、請求項１に記載の宅配ボックス。
【請求項３】
前記制御部は、前記携帯端末から送信されたユーザ特定情報を元に前記ユーザが荷受人であると判別された際、前記荷受人によって開錠操作が行われたときに前記荷物を投入した配送人情報と前記開錠前画像および前記施錠後画像とを前記荷受人の携帯端末に送信するように前記無線通信部に指令する、請求項１又は２に記載の宅配ボックス。
【請求項４】
前記撮像部によって撮影された画像は、サーバにおいて閲覧可能に管理するために前記ユーザの携帯端末から前記サーバに送信される、請求項１〜３のいずれか一項に記載の宅配ボックス。
【発明の詳細な説明】
【技術分野】
【０００１】
本開示は、宅配ボックスに関する。
【背景技術】
【０００２】
従来、特許文献１には、配送品受取箱が開示されている。この配送品受取箱では、配送者が配送品を届ける際に、配送品受取箱の情報読取り装置が配送品に付された解錠キーを読み取る。配送品受取箱の制御部は、情報読取り装置で読み取った解錠キーと、記憶部に記憶されている解錠キーとを照合し、両解錠キーが一致した場合に電子錠装置を解錠状態とする。これにより、配送品受取箱の開閉扉を開いて配送品を収容部に入れることができる。その結果、特許文献１の配送品受取箱によれば、配送品の誤配送を防止できると記載されている。
【先行技術文献】
【特許文献】
【０００３】
【特許文献１】特開２０１４−１４８８５０号公報
【発明の概要】
【発明が解決しようとする課題】
【０００４】
特許文献１に記載の宅配ボックスでは、配送品が入れられ扉が閉じられると、内部カメラで配送品を撮像することで配送品の存在を確認し、確認できれば施錠して、配送完了の旨の電子メールをユーザ端末と配送センタに送信する。この場合、配送品が宅配ボックス内に確実に投入されたことを明確に示す証拠があると配送人及び荷受人にとってより好ましい。
【０００５】
本開示の目的は、荷物が投入されたことを明確に示す証拠を含む電子化された受取証明をユーザの携帯端末で受信することができる宅配ボックスを提供することである。
【課題を解決するための手段】
【０００６】
本開示に係る宅配ボックスは、配送物である荷物の受け渡しを行う宅配ボックスであって、荷物の出し入れ口となる開口を有する箱体と、箱体の開口を開閉する扉と、扉の施錠及び開錠を行う電気錠と、電気錠の施錠及び開錠を制御する制御部と、予め登録されているユーザの携帯端末との間で双方向に通信して情報を送受信する無線通信部と、ボックス内部の画像を撮影する撮像部と、ユーザを特定する情報及び前記撮像部で撮影された画像を記憶する記憶部と、を備える。制御部は、携帯端末から送信されたユーザ特定情報を元に前記ユーザが配送人であると判別された際、配送人によって開錠操作が行われたときに撮像部で開錠前画像を撮影するとともに、配送人によって施錠操作が行われたときに撮像部で施錠後画像を撮影し、配送人の携帯端末に開錠前画像および施錠後画像を含む電子化された受取証明を送信するように無線通信部に指令する。
【発明の効果】
【０００７】
本開示に係る宅配ボックスによれば、配送人の携帯端末に開錠前画像および施錠後画像を含む受取証明が送信されるため、これらの画像の比較から荷物が宅配ボックスに確実に投入されたことを明確に示す証拠を含む電子化された受取証明を得ることができる。
【図面の簡単な説明】
【０００８】
【図１】本開示の一実施形態である宅配ボックスの斜視図である。
【図２】図１に示した宅配ボックスの機能ブロック図である。
【図３】ユーザ、ユーザ端末、及び、宅配ボックスの動作フローチャートである。
【図４】図３に続いて、別の配送人が宅配ボックスに物品を投入する場合を示す、ユーザ、ユーザ端末、及び、宅配ボックスの動作フローチャートである。
【図５】図４に続いて、荷受人が宅配ボックスから物品と取り出す場合を示す、ユーザ、ユーザ端末、及び、宅配ボックスの動作フローチャートである。
【発明を実施するための形態】
【０００９】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１０】
図１は、本開示の一実施形態である宅配ボックス１０を示す斜視図である。宅配ボックス１０は、例えば、住宅の玄関先等において、配送物である荷物の受け渡しを行うために設置される。図１では、１つの宅配ボックス１０を示すが、複数の宅配ボックス１０を縦横に配列して宅配ボックスシステムが構成されてもよい。このような宅配ボックスシステムは、例えば、集合住宅の玄関ロビー、駅、コンビニエンスストア等に好適に設置される。
【００１１】
図１に示すように、宅配ボックス１０は、箱体１２と、扉１４とを備える。箱体１２は、例えば、金属板によって直方体状に形成され、内部に荷物を収容する空間を含む。箱体１２は、前方側に荷物をボックス内の庫室に出し入れするための開口を有している。
【００１２】
宅配ボックス１０において、扉１４は、幅方向一端部がヒンジ１６によって箱体１２の開口縁部に連結されている。これにより、扉１４は、ヒンジ１６により箱体１２に対して回動して、箱体１２の開口を開閉することができる。
【００１３】
詳しくは後述するが、宅配ボックス１０は、ユーザである配送人や荷受人が所持する携帯端末３０と無線通信する機能を有する。携帯端末３０には、例えば、スマートフォンが好適に用いられる。ただし、これに限定されるものではなく、携帯端末３０は、無線通信可能なタブレット等で構成されてもよい。
【００１４】
また、ユーザの携帯端末３０は、宅配ボックス１０を管理する管理会社等のサーバ５０と無線通信することができる。宅配ボックス１０では、ユーザが携帯端末３０を用いて宅配ボックス１０を開錠及び施錠を行うことで、宅配ボックス１０に対して荷物の投入や受取りを容易かつ確実に行うことができる。
【００１５】
図２は、宅配ボックス１０の機能ブロック図である。宅配ボックス１０は、制御部２０、記憶部２１、電気錠２２、操作部２３、無線通信部２４、温度測定部２５、撮像部２６、及び計時部２７を備えている。
【００１６】
制御部２０は、電気錠２２を施錠および開錠する機能を有する。制御部２０は、例えば、ＣＰＵ（Ｃｅｎｔｒａｌ  Ｐｒｏｃｅｓｓｉｎｇ  Ｕｎｉｔ）を含むマイクロコンピュータによって好適に構成される。制御部２０は、記憶部２１に記憶されているプログラムを読み出して実行することができる。また、制御部２０は、無線通信部２４によって受信した認証データや画像データなどを記憶部２１に記憶させる機能を有する。
【００１７】
制御部２０は、ユーザの開錠操作により、宅配ボックス１０の使用が許諾されたユーザであるかの認証を行い開錠可否を判定して開錠する機能を有する。制御部２０は、携帯端末３０から受信した情報が、記憶部２１に使用が許諾されたユーザ特定情報と一致したとき、電気錠２２に対して開錠を指令する。また、制御部２０は、無線通信部２４に対して各種の情報を送信するように指令することができる。
【００１８】
記憶部２１は、例えばＲＯＭ、ＲＡＭ等によって構成される。記憶部２１には、宅配ボックス１０の電気錠２２を施錠及び開錠する制御のためのプログラムが記憶される。具体的は、記憶部２１には、ユーザを特定できる認証データ、荷物の出し入れに関する情報、撮像部２６によって撮影した庫内画像などを記憶可能である。また、記憶部２１には、例えば、宅配ボックス１０を特定するボックスＩＤ情報や、パスワード情報が含まれてもよい。バスワード情報は、予め定められて記憶部２１に記憶された情報であってもよいし、開錠時にサーバ５０によって設定されて携帯端末３０及び無線通信部２４を介して受信して記憶部２１に記憶された情報であってよい。
【００１９】
電気錠２２は、例えば、駆動源が電磁ソレノイドやモータ等によって構成される。電気錠２２は、制御部２０からの指令を受けて開錠動作及び施錠動作する。このとき、例えば、駆動源が電磁ソレノイドの場合、プランジャがコイルによって引き込まれ、プランジャの先端が箱体１２の開口縁部に形成された係合溝又は係合凹部から外れる。これにより、開錠動作が完了して扉１４が開放可能になる。
【００２０】
操作部２３は、例えば、押しボタン等によって構成される。図１では正面視で円形状をなす押しボタンが示されている。操作部２３は、表示部を兼ねたタッチパネルなどで構成されてもよい。操作部２３が押下操作又はタッチ操作されることによって、無線通信部２４とユーザの携帯端末３０との間で通信が確立され、ユーザ特定情報やパスワード情報等が両者間で送受信されることになる。
【００２１】
無線通信部２４は、ユーザが携帯する携帯端末３０との間で無線通信を行う機能を有する。無線通信部２４は、ブルートゥース（Ｂｌｕｅｔｏｏｔｈ（登録商標））等の近距離無線通信方式で通信を行うことが好ましく、特に、低消費電力での通信が可能なＢＬＥ（Ｂｌｕｅｔｏｏｔｈ  Ｌｏｗ  Ｅｎｅｒｇｙ）によって通信を行うことがより好ましい。なお、無線通信部２４と携帯端末３０との間の通信方式は、ブルートゥースに限定されるものではなく、例えば、赤外線通信等の他の通信方式であってもよい。
【００２２】
温度測定部２５は、宅配ボックス１０の庫内の温度を測定する機能を有する。温度測定部２５は、例えば、温度センサを備えており、この温度センサによって検出された庫内温度を記憶部２１へ出力する。記憶部２１は、入力された庫内温度を記憶する。このように記憶された庫内温度は、後述するように宅配ボックス１０内に収容された荷物の保管温度履歴として用いられる。
【００２３】
撮像部２６は、庫内を撮影する機能を有する。撮像部２６は、例えば、カメラによって好適に構成される。撮像部２６を構成するカメラは、図１に示すように、庫内奥側の上方位置であって宅配ボックス１０内の角部に設置されるのが好ましい。撮像部２６を庫内の上方正面位置に設置した場合、庫室内に複数の荷物が積み重ねて収容された場合、下方に位置する荷物がその上に積まれた荷物によって隠れてしまいやすい。これに対し、上述したように撮像部２６を庫内の斜め上方位置に設置して庫内を撮影することで、複数の荷物が宅配ボックス１０内に積み重ねて収納された場合でも、荷物が積み重なった状態にあると認められる画像を撮影することが可能になる。その結果、１つ又は複数の荷物の収納状態の監視を確実に行うことが可能になる。
【００２４】
撮像部２６を構成するカメラは、複数台、設けられてもよい。例えば、２台のカメラが庫内奥側の上方位置であって宅配ボックス１０内の幅方向両側の角部に設置されてもよい。このように複数台のカメラを設けることで、庫内に投入されている複数個の物品を状況がより良く把握できるように撮影することができる。また、撮像部２６は、フラッシュ又はストロボを備えるのが好ましい。扉１４が閉じられると暗所となる庫内の画像を鮮明に撮影するために、カメラによる撮影時に庫内を照明するためである。
【００２５】
計時部２７は、時間を計測する機能を有する。具体的には、荷物が宅配ボックス１０に投入されたときの電気錠２２の施錠時間から、荷物を取り出すために電気錠２２が開錠されたときの開錠時間までの保管時間を計測することができる。この保管時間は、施錠時間および開錠時間とともに、計時部２７から記憶部２１に入力されて記憶される。
【００２６】
次に、図３ないし図５を参照して、宅配ボックス１０での荷物の投入及び受け取りについて説明する。図３は、ユーザ、ユーザ端末、及び、宅配ボックスの動作フローチャートである。ここでのユーザには、荷受人と、配送人とが含まれる。図３ないし図５では、左側にユーザ、中央にユーザ端末、右側に宅配ボックス１０が示されている。以下において、荷受人が携帯する携帯端末３０、配送人Ａが携帯する携帯端末３０Ａ、配送人Ｂが携帯する携帯端末３０Ｂとして区別する。また、以下では、配送人によって配達される荷物を適宜に物品という。
【００２７】
図３を参照すると、ユーザである荷受人は、自身の携帯端末３０にダウンロードして格納されている専用アプリケーションを用いて設定操作を行い（Ｓ１０）、この設定操作で入力された設定情報が携帯端末３０から宅配ボックス１０に送信される（Ｓ１２）。
【００２８】
ここで設定情報には、宅配ボックス１０を開錠できる開錠許諾者を特定する情報（以下、「開錠許諾者情報」という。）、及び、宅配ボックス１０に投入可能な物品に関する情報（以下、「投入可能物品情報」という。）を含めることができる。開錠許諾者情報には、配送人を特定する認証データとして、氏名、会社名、配送人Ａ，Ｂが携帯する携帯端末３０Ａ，３０Ｂの電話番号及びメールアドレス等を含めることができる。ここでは開錠許諾者として登録される配送人が２名の場合を例示するが、配送人の数は３名以上であってもよい。
【００２９】
投入可能物品情報として、例えば、食品以外の物品などを指定することができる。食品は、宅配ボックス１０の投入された後の保管環境（例えば、保管時間、保管温度履歴など）によっては品質劣化の恐れがあるため、荷受人は手渡しで受け取ることを希望する場合があるためである。
【００３０】
荷受人の携帯端末３０から宅配ボックス１０に送信された開錠許諾者情報及び投入可能物品情報は、無線通信部２４で受信されて記憶部２１に記憶される（Ｓ１４）。
【００３１】
次に、ユーザである配送人Ａ（第１配送人）は、自身の携帯端末３０Ａにダウンロードして格納されている専用アプリケーションを用いてアクセス操作を行う（Ｓ２０ａ）。このアクセス操作によって配送人Ａの携帯端末３０Ａから宅配ボックス１０に配送人情報が送信される（Ｓ２２ａ）。この配送人情報には、配送人Ａを特定する認証データとして、例えば、携帯端末３０Ａのメールアドレス、パスワード等を含めることができる。この配送人情報は、宅配ボックス１０において無線通信部２４で受信されて制御部２０に入力される。
【００３２】
制御部２０では、配送人情報を、記憶部２１に予め記憶されている配送人情報と一致するかの認証を行い、ユーザ特定を行う（Ｓ２４ａ）。そして、配送人情報が記憶部２１に記憶されている情報と一致して認証ができれば、制御部２０は無線通信部２４を介して携帯端末３０Ａに投入可能物品情報を提供する（Ｓ２６ａ）。これにより、携帯端末３０Ａに、投入可能物品情報が表示される（Ｓ２８ａ）。
【００３３】
配送人Ａは、携帯端末３０Ａに表示された投入可能物品情報を確認することができる。投入しようとする荷物が食品でなければ、配送人Ａは、開錠操作を行う（Ｓ３０ａ）。開錠操作は、携帯端末３０Ａにおける専用アプリケーション上で行われる。開錠操作がなされると、配送人Ａの携帯端末３０Ａから宅配ボックス１０に開錠要求が送信される（Ｓ３２ａ）。なお、荷物が食品である場合には、配送人は、荷物を宅配ボックス１０に預けることなく持ち帰り、荷受人に手渡しするために再配達することになる。
【００３４】
携帯端末３０Ａからの開錠要求は、無線通信部２４で受信されて制御部２０に入力される。制御部２０は、電気錠２２を開錠する前に、撮像部２６を作動させて開錠前画像（第１開錠前画像）Ｐａ１を撮影して記憶部２１に記憶する（Ｓ３３ａ）。続いて、制御部２０は、電気錠２２に開錠指令を送信する。その結果、電気錠２２が開錠動作し（Ｓ３４ａ）、扉１４が開放可能となる。また、このとき、宅配ボックス１０では、制御部２０は、配送人Ａを開錠者ａ情報として開錠時間Ｔａと共に記憶部２１に記憶させる（Ｓ３６ａ）。
【００３５】
続いて、配送人Ａは、扉１４を開いて物品を宅配ボックス１０の庫内に投入し（Ｓ３８ａ）、施錠操作を行う（Ｓ４０ａ）。この施錠操作は、携帯端末３０Ａにおける専用アプリケーション上で行うことができる。携帯端末３０Ａ上で施錠操作されると、携帯端末３０Ａから宅配ボックス１０に施錠要求が送信される（Ｓ４２ａ）。施錠要求を無線通信部２４で受信すると、制御部２０は、電気錠２２に対して施錠指令を送信する。これにより、電気錠２２が施錠動作を行い（Ｓ４４ａ）、扉１４が開放不能に施錠される。
【００３６】
なお、施錠操作は携帯端末３０Ａを用いて行う場合に限定されない。扉１４が閉じられたことを図示しない扉センサで検知したときに電気錠２２を作動させて施錠動作を自動的に行ってもよい。或いは、扉１４を閉じて押しボタン２３（図１参照）を押下したときに電気錠２２を施錠動作させてもよい。
【００３７】
電気錠２２の施錠動作が完了すると、制御部２０は、撮像部２６を作動させて、配送人Ａによって物品が投入された庫内画像である施錠後画像（第１施錠後画像）Ｐａ２を撮影して記憶部２１に記憶する（Ｓ４５ａ）。
【００３８】
続いて、制御部２０は、電子化された受取証明を無線通信部２４から配送人Ａの携帯端末３０Ａに送信する（Ｓ４６ａ）。この電子化された受取証明には、開錠前画像Ｐａ１及び施錠後画像Ｐａ２が含まれている。携帯端末３０Ａに送信された受取証明は、携帯端末３０Ａの記憶部に記憶されて保存される（Ｓ４８ａ）。
【００３９】
図４は、図３に続いて、別の配送人（第２配送人）Ｂが宅配ボックス１０に物品を投入する場合を示す、ユーザ、ユーザ端末、及び、宅配ボックスの動作フローチャートである。図４に示す各動作は、図３を参照して上述した内容と同様である。
【００４０】
簡単に説明すると、配送人Ｂが自身の携帯端末３０Ｂを用いて宅配ボックス１０を開錠し、既に物品が投入されている庫内にさらに物品を投入して施錠する。宅配ボックス１０では、開錠前と施錠後に撮像部２６が作動して第２開錠前画像Ｐｂ１及び第２施錠後画像Ｐｂ２が撮影されて記憶部２１に記憶される。また、記憶部２１には、配送人Ｂによる開錠時間Ｔｂと共に、配送人Ｂの開錠許諾人情報が開錠者ｂとして記憶される。このように図４に示す動作は図３を参照して上述した内容と同じである。したがって、図４においてステップ番号を同一として添え字を「ａ」から「ｂ」に代えただけで、ここでの詳細な説明を省略する。
【００４１】
図５は、図４に続いて、荷受人が宅配ボックス１０から物品と取り出す場合を示す、ユーザ、ユーザ端末、及び、宅配ボックスの動作フローチャートである。
【００４２】
荷受人が宅配ボックス１０から荷物を取り出すとき、まず、荷受人の携帯端末３０でアクセス操作を行い（Ｓ６０）、専用アプリケーションを立ち上げる。この場合、宅配ボックス１０にブルートゥース発信機を内蔵しておけば、荷受人が接近すると携帯端末３０に専用アプリケーションが自動的に立ち上がるようになり利便性が向上する。
【００４３】
荷受人が携帯端末３０でアクセス操作すると、携帯端末３０から宅配ボックス１０に荷受人情報が送信される（Ｓ６２）。この荷受人情報を無線通信部２４で受信すると、制御部２０は、受信した荷受人情報が記憶部２１に開錠許諾者として記憶されている認証データと一致するか否かを判定してユーザ特定を行う（Ｓ６４）。
【００４４】
荷受人が開錠許諾者であると認証されると、制御部２０は、無線通信部２４から荷受人の携帯端末３０に対して情報提供を行う（Ｓ６６）。このとき送信される情報には、物品が投入されたときの開錠記録（すなわち、開錠時間、物品投入者を特定する情報など）及び庫内画像データが含まれている。具体的には、開錠記録には、配送人Ａの開錠許諾者情報ａ、開錠時間Ｔａ、配送人Ａによる物品投入前後の開錠前画像Ｐａ１及び施錠後画像Ｐａ２と、配送人Ｂの開錠許諾者情報ｂ、開錠時間Ｔｂ、配送人Ｂによる物品投入前後の第２開錠前画像Ｐｂ１及び第２施錠後画像Ｐｂ２が含まれる。荷受人は、携帯端末３０で受信したこれらの情報および画像を確認することができる。
【００４５】
そして、荷受人は、宅配ボックス１０から物品を取り出すために開錠操作を行う（Ｓ６８）。この開錠操作は、携帯端末３０上の専用アプリケーションで行うことができる。これにより、携帯端末３０から宅配ボックス１０に開錠要求が送信される（Ｓ７０）。開錠要求を無線通信部２４で受信すると、制御部２０は、電気錠２２に開錠動作される指令を送信する。これにより、電気錠２２が開錠し（Ｓ７２）、扉１４が開放可能になる。この状態で、荷受人は、扉１４を開いて、宅配ボックス１０から物品を取り出すことができる（Ｓ７４）。
【００４６】
上述したように、本実施形態の宅配ボックス１０は、配送物である荷物の受け渡しを行う宅配ボックスである。宅配ボックス１０は、荷物の出し入れ口となる開口を有する箱体１２と、箱体１２の開口を開閉する扉１４と、扉１４の施錠及び開錠を行う電気錠２２と、電気錠２２の施錠及び開錠を制御する制御部２０と、予め登録されているユーザの携帯端末３０，３０Ａ，３０Ｂとの間で双方向に通信して情報を送受信する無線通信部２４と、ボックス内部の画像を撮影する撮像部２６と、ユーザを特定する情報及び撮像部２６で撮影された画像を記憶する記憶部２１とを備える。制御部２１は、携帯端末３０，３０Ａ、３０Ｂから送信されたユーザ特定情報を元にユーザが配送人であると判別された際、配送人Ａによって開錠操作が行われたときに撮像部２６で開錠前画像Ｐａ１を撮影するとともに、配送人Ａによって施錠操作が行われたときに撮像部２６で施錠後画像Ｐａ２を撮影する。そして、制御部２０は、配送人Ａの携帯端末３０Ａに開錠前画像Ｐａ１および施錠後画像Ｐａ２を含む電子化された受取証明を送信するように無線通信部２４に指令する。
【００４７】
この構成によれば、配送人Ａの携帯端末３０Ａに開錠前画像Ｐａ１および施錠後画像Ｐａ２を含む受取証明が送信されるため、これらの画像の比較から荷物が宅配ボックス１０に確実に投入されたことを明確に示す証拠を含む電子化された受取証明を得ることができる。
【００４８】
本実施形態の宅配ボックス１０において、制御部２０は、配送人Ａによって荷物が投入されて施錠された後に別の配送人Ｂによって開錠操作が行われたときに撮像部２６で第２開錠前画像Ｐｂ１を撮影するとともに、別の配送人Ｂによって施錠操作が行われたときに撮像部２６で第２施錠後画像Ｐｂ２を撮影する。そして、制御部２０は、別の配送人Ｂの携帯端末３０Ｂに第２開錠前画像Ｐｂ１および第２施錠後画像Ｐｂ２を含む受取証明を送信するように無線通信部２４に指令するのが好ましい。
【００４９】
この構成によれば、配送人Ｂの携帯端末３０Ｂに第２開錠前画像Ｐｂ１および第２施錠後画像Ｐｂ２を含む受取証明が送信されるため、配送人Ｂも、これらの画像の比較から荷物が宅配ボックス１０に確実に投入されたことを明確に示す証拠を含む電子化された受取証明を得ることができる。
【００５０】
また、本実施形態の宅配ボックス１０において、制御部２０は、携帯端末３０から送信されたユーザ特定情報を元にユーザが荷受人であると判別された際、配送人Ａ，Ｂによって開錠操作が行われたときに荷物を投入した配送人情報ａ，ｂと開錠前画像Ｐａ１，Ｐｂ１および施錠後画像Ｐａ２，Ｐｂ２とを荷受人の携帯端末３０に送信するように無線通信部２４に指令するのが好ましい。
【００５１】
この構成によれば、荷受人は、複数の配送人が異なるタイミングで宅配ボックスに投入した複数の荷物を安心かつ確実に受け取ることができる。また、荷物が無くなった場合などに配送人情報ａ，ｂや開錠前画像Ｐａ１，Ｐｂ１および施錠後画像Ｐａ２，Ｐｂ２を確認することによって無くなったタイミング等を検証することができる。
【００５２】
さらに、本実施形態の宅配ボックス１０では、撮像部２６によって撮影された開錠前画像Ｐａ１，Ｐｂ１および施錠後画像Ｐａ２，Ｐｂ２は、サーバ５０において閲覧可能に管理するためにユーザの携帯端末３０，３０Ａ，３０Ｂからサーバ５０に送信されてもよい。この構成によれば、荷物紛失などがあったときに、サーバ５０に記憶されている開錠前画像Ｐａ１，Ｐｂ１および施錠後画像Ｐａ２，Ｐｂ２等を閲覧することによって原因等を検証することができる。
【００５３】
なお、本開示に係る宅配ボックスは、上述した実施形態及びその変形例に限定されるものではなく、本願の特許請求の範囲に記載された事項の範囲内において種々の変更や改良が可能であることはいうまでもない。
【符号の説明】
【００５４】
１０  宅配ボックス、１２  箱体、１４  扉、１６  ヒンジ、２０  制御部、２１  記憶部、２２  電気錠、２３  操作部又は押しボタン、２４  無線通信部、２５  温度測定部、２６  撮像部、２７  計時部、３０，３０Ａ，３０Ｂ  携帯端末、５０  サーバ。
【図１】
2019208589.tif 000003
【図２】
2019208589.tif 000004
【図３】
2019208589.tif 000005
【図４】
2019208589.tif 000006
【図５】
2019208589.tif 000007